(57)【要約】【課題】水圧を低下させることなく死水の発生を防止することができるスプリンクラーヘッドの接続継手及びスプリンクラーシステムを得る。【解決手段】第１の給水管１４Ａに流れ込んだ上水は、導入管３２を通って渦流室３０の内壁３０Ａに沿って渦流室３０内に流れ込む。渦流室３０の内壁３０Ａに沿って流れ込んだ上水は、円状の内壁３０Ａに沿って上方から下方に向けて旋回する。渦流室３０内で旋回しながら下方へ至った上水は、中央側に配置された垂直管部３４Ａの下端から排出管３４へ流れ込む。さらに、排出管３４へ流れ込んだ上水は、垂直管部３４Ａ及び水平管部３４Ｂを流れて第２の給水管１４Ｂへ排出される。このように、渦流室３０内の上水を旋回させて排出することで、水圧を低下させることなく接続継手１６内に上水が長期間停滞するという死水の発生を防止することができる。【選択図】図１
2010094392.tif 000002
【特許請求の範囲】
【請求項１】
スプリンクラーヘッドへ上水を供給する渦流室と、
上水道から分岐した第１の給水管を流れる上水を前記渦流室の側方から前記渦流室の内壁に沿って前記渦流室内に流し込む導入手段と、
下端が前記渦流室の中央側に開放されると共に、開放された下端から前記渦流室内の上水が流れ込み、第２の給水管へ上水を排出する排出手段と、
を有するスプリンクラーヘッドの接続継手。
【請求項２】
前記渦流室は、上下に延びる円筒形状である請求項１に記載のスプリンクラーヘッドの接続継手。
【請求項３】
前記導入手段は、前記渦流室内の上側に上水を流し込む請求項１又は２に記載のスプリンクラーヘッドの接続継手。
【請求項４】
前記渦流室の水平方向の断面積は、下方向に向うに従って小さくなっている請求項１〜３何れか１項に記載のスプリンクラーヘッドの接続継手。
【請求項５】
前記導入手段は水平方向に延びて配置される導入管であって、
前記排出手段は下端が開放されて垂直方向に延びる垂直管部と前記垂直管部の上端が屈曲して水平方向に延びる水平管部を備える排出管であって、
前記水平管部は、前記導入管より上方に配置される請求項１〜４に記載のスプリンクラーヘッドの接続継手。
【請求項６】
請求項１〜５何れか１項に記載されたスプリンクラーヘッドの接続継手と、
前記接続継手に接続されるスプリンクラーヘッドと、
可撓性を有する樹脂材料で形成され、前記接続継手の導入手段に上水を流し込む第１の給水管と、
可撓性を有する樹脂材料で形成され、前記接続継手の排出管から上水が排出される第２の給水管と、
を備えるスプリンクラーシステム。
【発明の詳細な説明】
【技術分野】
【０００１】
本発明は、上水道配管を利用したスプリンクラー設備において上水道から分岐した給水管とスプリンクラーヘッドとを接続するスプリンクラーヘッドの接続継手、及びこの接続継手を備えたスプリンクラーシステムに関する。
【背景技術】
【０００２】
特許文献１に記載のスプリンクラーヘッドの接続継手では、給水管と接続される水平管に水の流れを攪乱させるジャマ板が設けられている。このジャマ板を設けることで、水平管から分岐して先端部にスプリンクラーヘッドが固定される分岐管の内部に滞留する水が攪拌される構成となっている。
【０００３】
つまり、分岐管の内部に滞留する水をジャマ板により攪拌することで、接続継手内に水が長期間停滞するという死水の発生を防止するようになっている。
【０００４】
【特許文献１】特開２００７−８２６６２号公報
【発明の開示】
【発明が解決しようとする課題】
【０００５】
しかしながら、この接続継手では、ジャマ板により分岐管の内部の水を攪拌するため、分岐管の内部の水圧が低下してしまうことが考えられる。
本発明は、上記事実を考慮し、従来品より水圧の低下を抑制して死水の発生を防止することが課題である。
【課題を解決するための手段】
【０００６】
本発明の請求項１に係るスプリンクラーヘッドの接続継手は、スプリンクラーヘッドへ上水を供給する渦流室と、上水道から分岐した第１の給水管を流れる上水を前記渦流室の側方から前記渦流室の内壁に沿って前記渦流室内に流し込む導入手段と、下端が前記渦流室の中央側に開放されると共に、開放された下端から前記渦流室内の上水が流れ込み、第２の給水管へ上水を排出する排出手段と、を有することを特徴とする。
【０００７】
上記構成によれば、第１の給水管を流れる上水を導入手段が渦流室の側方から渦流室の内壁に沿って渦流室内に流し込む。
上水は内壁に沿って流し込まれるため、渦流室内に流れ込んだ上水は渦流室内で竜巻状に旋回する。
【０００８】
さらに、竜巻状に旋回した上水は、排出手段の開放された下端へ流れ込み第２の給水管へ排出される。
このように、渦流室内の上水を旋回させて排出することで、従来品より水圧の低下を抑制して接続継手内に上水が長期間停滞するという死水の発生を防止することができる。
【０００９】
本発明の請求項２に係るスプリンクラーヘッドの接続継手は、請求項１に記載において、前記渦流室は、上下に延びる円筒形状であることを特徴とする。
【００１０】
上記構成によれば、渦流室を上下に延びる円筒形状であるため、渦流室内で旋回する上水は、渦流室の内壁に沿って安定した状態で旋回する。
このように、渦流室は上下に延びる円筒形状とすることで、効率良く渦流室内の上水を旋回させることができる。
【００１１】
本発明の請求項３に係るスプリンクラーヘッドの接続継手は、請求項１又は２に記載において、前記導入手段は、前記渦流室内の上側に上水を流し込むことを特徴とする。
【００１２】
上記構成によれば、導入手段は渦流室内の上側に上水を流し込むため、渦流室内で旋回する上水は上方から下方へ向って旋回しながら流れる。そして、上水は排出手段の開放された下端へ流れ込み第２の給水管へ排出される。
【００１３】
このように、導入手段が渦流室内の上側に上水を流し込むことで、渦流室内の上水を満遍なく旋回させることができる。
【００１４】
本発明の請求項４に係るスプリンクラーヘッドの接続継手は、請求項１〜３何れか１項に記載において、前記渦流室の水平方向の断面積は、下方向に向うに従って小さくなっていることを特徴とする。
【００１５】
上記構成によれば、渦流室の水平方向の断面積は、下方向に向うに従って小さくなっている。このため、渦流室内を旋回する上水の流速は下方に向うに従って速くなる。
このように、下方に向うに従って流速が早くなるため、渦流室内の上水を効率よく排出手段の開放された下端へ流し込むことができる。
【００１６】
本発明の請求項５に係るスプリンクラーヘッドの接続継手は、請求項１〜４何れか1項に記載において、前記導入手段は水平方向に延びて配置される導入管であって、前記排出手段は下端が開放されて垂直方向に延びる垂直管部と前記垂直管部の上端が屈曲して水平方向に延びる水平管部を備える排出管であって、前記水平管部は、前記導入管より上方に配置されることを特徴とする。
【００１７】
上記構成によれば、排出管の水平管部が、導入管より上方に設けられている。このため、導入管から渦流室内に流れ込んだ上水は、水平管部と当ることなく渦流室内を旋回する。
このように、渦流室内で旋回する上水が水平管部と当らないため、効率よく上水を旋回させることができる。
【００１８】
本発明の請求項６に係るスプリンクラースステムは、請求項１〜５何れか１項に記載されたスプリンクラーヘッドの接続継手と、前記接続継手に接続されるスプリンクラーヘッドと、可撓性を有する樹脂材料で形成され、前記接続継手の導入手段に上水を流し込む第１の給水管と、可撓性を有する樹脂材料で形成され、前記接続継手の排出手段から上水が流れ込む第２の給水管と、を備えることを特徴とする。
【００１９】
上記構成によれば、第１の給水管と第２の給水管は可撓性を有する樹脂材料で成形されている。
このため、接続継手の導入手段と排出手段の上下方向の位置がずれても、第１の給水管及び第２の給水管は可撓性を有しているため、容易に第１の給水管と導入手段、及び排出手段と第２の給水管とを接続することができる。
【発明の効果】
【００２０】
本発明によれば、従来品より水圧の低下を抑制して死水の発生を防止することができる。
【発明を実施するための最良の形態】
【００２１】
本発明の第１実施形態に係るスプリンクラーヘッドの接続継手１６及びスプリンクラーシステム１８の一例を図１〜図３に従って説明する。
【００２２】
（全体構成）
図３に示されるように、上水道としての水道本管１０から蛇口１２へ向けて分岐させた給水管１４の途中には、接続継手１６を介して閉鎖型のスプリンクラーヘッド３６が取付けられている。そして、このスプリンクラーヘッド３６は、部屋２０の天井を構成する天井ボード２２に設けられた円孔２４を通って部屋２０に突出するように設けられている。
【００２３】
ここで、給水管１４は、接続継手１６へ上水を流し込む第１の給水管１４Ａと接続継手１６から上水が流し込まれる第２の給水管１４Ｂ（図１参照）を備えており、可撓性を有する樹脂材料で成形されている。
【００２４】
そして、第１の給水管１４Ａ、第２の給水管１４Ｂ、接続継手１６及びスプリンクラーヘッド３６でスプリンクラーシステム１８が構成されている。
【００２５】
（要部構成）
図１、図２に示されるように、接続継手１６は、スプリンクラーヘッド３６が底板３０Ｂに取り付けられ、緊急時にスプリンクラーヘッド３６へ上水を供給する円筒状の渦流室３０を備えている。
【００２６】
さらに、第１の給水管１４Ａから渦流室３０へ上水を導く管状の導入管３２は、水平方向へ延びて設けられ、渦流室３０の内壁３０Ａの上側に一端部が固定され、他端部が第１の給水管１４Ａに接続されている。また、平面視（上方から見た状態）における導入管３２の渦流室３０に対する接続角度は、導入管３２から渦流室３０内へ流れ込んだ上水が渦流室３０の内壁３０Ａに沿って渦流室３０内に流れ込むように決められている。
なお、本実施形態では、導入管３２を水平方向へ延ばして配置したが、斜め等に配置してもよい。
【００２７】
さらに、渦流室３０内の中央側に設けられ、下端が開放されて垂直方向へ延びる管状の垂直管部３４Ａと、垂直管部３４Ａの上端が屈曲して水平方向に延びる水平管部３４Ｂを備える排出管３４が設けられている。水平管部３４Ｂは、導入管３２より上方に設けられ、水平管部３４Ｂの端部には、第２の給水管１４Ｂが接続されている。
なお、本実施形態では、垂直管部３４Ａを渦流室３０内に設けたが、垂直管部が渦流室内に配置されず、垂直管部の下端が渦流室の中央側に開放されるように配置してもよい。
【００２８】
つまり、この排出管３４が第１の給水管１４Ａから導入管３２を通って渦流室３０内に流れ込んだ上水を第２の給水管１４Ｂへ排出するようになっている。
【００２９】
一方、前述したように、渦流室３０の底板３０Ｂには、スプリンクラーヘッド３６が、円筒状の接続部材３８を介して取り付けられている。
この接続部材３８には、キャップ４０によって常態では閉止されている放水口４２が設けられ、放水口４２は、渦流室３０の内部と隣接し連通している。
【００３０】
また、スプリンクラーヘッド３６には、放水口４２を閉止するキャップ４０を支持するバランサー５０が設けられており、さらに、バランサー５０を支持するアーム支持板５２及びリンク押さえ板５４に係止される左右のアーム５６、５８が設けられている。また、スプリンクラーヘッド３６の下端部には、火災発生時に受熱する感熱板６０が設けられている。
【００３１】
この構成において、火災発生により感熱板６０が受熱すると、ヒューズ６２が融けてアーム５６、５８がアーム支持板５２及びリンク押さえ板５４から解除され、アーム支持板５２、感熱板６０、リンク押え板５４、アーム５６、５８、バランサー５０、キャップ４０は何れも落下して放水口４２は開放される。放水口４２が開放されることで、デフレクタ６４が降下して散水が始まる構成となっている。
【００３２】
（作用・効果）
図３に示されるように、蛇口１２を開放すると、第１の給水管１４Ａに水道本管１０から上水が流れ込む。
【００３３】
図１、図２に示されるように、第１の給水管１４Ａに流れ込んだ上水は、接続継手１６に設けられた導入管３２を通って渦流室３０の内壁３０Ａに沿って渦流室３０内に流れ込む。渦流室３０の内壁３０Ａに沿って流れ込んだ上水は、円状の内壁３０Ａに沿って上方から下方に向けて旋回する。
【００３４】
ここで、排出管３４の水平管部３４Ｂが、導入管３２より上方に設けられているため、導入管３２から渦流室３０内に流れ込んだ上水は、水平管部３４Ｂと当ることなく渦流室３０内を旋回する。
【００３５】
旋回しながら下方へ至った上水は、中央側に配置された垂直管部３４Ａの下端から排出管３４へ流れ込む。さらに、排出管３４へ流れ込んだ上水は、垂直管部３４Ａ及び水平管部３４Ｂを流れて第２の給水管１４Ｂへ排出される。
【００３６】
このように、渦流室３０内の上水を旋回させて排出することで、従来品より水圧の低下を抑制して接続継手１６内に上水が長期間停滞するという死水の発生を防止することができる。
また、導入管３２が渦流室３０内の上側に上水を流し込むことで、渦流室３０内の上水を満遍なく旋回させることができる。
【００３７】
また、渦流室３０を円筒形状とすることで、効率良く渦流室３０内の上水を旋回させることができる。
また、水平管部３４Ｂを導入管３２より上方に設けることで、導入管３２から渦流室３０内に流れ込んだ上水と水平管部３４Ｂとが当るのを防止することができ、効率よく上水を渦流室３０内で旋回させることができる。
【００３８】
また、第１の給水管１４Ａ及び第２の給水管１４Ｂが可撓性を有する樹脂材料で成形されているため、導入管３２と排出管３４の水平管部３４Ｂの上下方向の位置がずれても、容易に第１の給水管１４Ａと導入管３２、及び水平管部３４Ｂと第２の給水管１４Ｂとを接続することができる。
【００３９】
次に本発明の第２実施形態に係るスプリンクラーヘッドの接続継手７０の一例について図４に従って説明する。
なお、第１実施形態と同一部材については、同一符号を付してその説明を省略する。
【００４０】
図４に示されるように、第２実施形態では、第１実施形態と違い導入管７４の高さと排出水管７２の水平管部７２Ａの高さが合っている。
【００４１】
このように、導入管７４と水平管部７２Ａの高さを合わせることで、第１の給水管１４Ａと第２の給水管１４Ｂの高さを変える必要がなく、容易に接続継手７０を第１の給水管１４Ａ及び第２の給水管１４Ｂに接続することができる。
【００４２】
次に本発明の第３実施形態に係るスプリンクラーヘッドの接続継手８０の一例について図５に従って説明する。
なお、第２実施形態と同一部材については、同一符号を付してその説明を省略する。
【００４３】
図５に示されるように、第３実施形態では、第２実施形態と違い渦流室８２の水平方向の断面積は、下方向に向うに従って小さくなっている。このため、渦流室８２内を旋回する上水の流速は下方に向うに従って速くなる。
【００４４】
このように、下方に向うに従って流速が早くなるため、渦流室８２内の上水を効率よく排出管７２の開放された下端へ流し込むことができる。
【００４５】
次に本発明の第４実施形態に係るスプリンクラーヘッドの接続継手９０の一例について図６に従って説明する。
なお、第３実施形態と同一部材については、同一符号を付してその説明を省略する。
【００４６】
図６に示されるように、第４実施形態では、第３実施形態と違い排出管９２の水平管部９２Ｂは、導入管９４より上方に設けられている。
【００４７】
このように、水平管部９２Ｂを導入管９４より上方に設けることで導入管９４から渦流室９６内に流れ込んだ上水と水平管部９２Ｂとが当るのを防止することができ、効率よく上水を渦流室９６内で旋回させることができる。
【図面の簡単な説明】
【００４８】
【図１】本発明の第１実施形態に係るスプリンクラーヘッドの接続継手を示した断面図である。
【図２】本発明の第１実施形態に係るスプリンクラーヘッドの接続継手を示した斜視図である。
【図３】本発明の第１実施形態に係るスプリンクラーヘッドの接続継手及びスプリンクラーシステムが採用された配管システムの概略構成図である。
【図４】本発明の第２実施形態に係るスプリンクラーヘッドの接続継手を示した断面図である。
【図５】本発明の第３実施形態に係るスプリンクラーヘッドの接続継手を示した断面図である。
【図６】本発明の第４実施形態に係るスプリンクラーヘッドの接続継手を示した断面図である。
【符号の説明】
【００４９】
１４          給水管
１４Ａ        第１の給水管
１４Ｂ        第２の給水管
１６          接続継手
１８          スプリンクラーシステム
３０          渦流室
３０Ａ        内壁
３２          導入管（導入手段）
３４          排出管
３４Ａ        垂直管部
３４Ｂ        水平管部
３６          スプリンクラーヘッド
７０          接続継手
７２          排出水管
７２Ａ        水平管部
７４          導入管（導入手段）
８０          接続継手
８２          渦流室
９０          接続継手
９２          排出管
９２Ｂ        水平管部
９４          導入管
９６          渦流室
【図１】
2010094392.tif 000003
【図２】
2010094392.tif 000004
【図３】
2010094392.tif 000005
【図４】
2010094392.tif 000006
【図５】
2010094392.tif 000007
【図６】
2010094392.tif 000008